(57)【特許請求の範囲】
【請求項１】
エレベータのかごが停止する各階乗場にそれぞれ設けられ、前記かごの運行を制御するエレベータ制御盤との間で制御信号を授受する各階制御基板に対し、伝送用のアドレスをそれぞれ初期設定するエレベータ用各階制御基板のアドレス設定方法であって、
本来の各階乗場設置個所以外で、前記エレベータ制御盤近くに集められた前記各階制御基板の、それぞれ共通接続された＋側電源端子と−側電源端子との間に、前記エレベータ制御盤近くに置かれたアドレス設定装置の電源回路から共通の制御電源を供給すると共に、
前記各階制御基板のそれぞれ直列接続された＋側伝送端子と−側伝送端子との間に、前記エレベータ制御盤から前記かごの停止階検出に伴って出力されるアドレス信号を前記アドレス設定装置のアドレス伝送回路から並列供給し、
前記各階制御基板に設けられたアドレス取り込み手段が操作されることにより、前記エレベータ制御盤から供給されたアドレス信号が自階制御基板のアドレスとして設定されることを特徴とするエレベータ用各階制御基板のアドレス設定方法。
【請求項２】
エレベータのかごが停止する各階乗場にそれぞれ設けられ、前記かごの運行を制御するエレベータ制御盤との間で制御信号を授受する各階制御基板に対し、伝送用のアドレスをそれぞれ初期設定する、前記エレベータ制御盤近くに置かれて使用されるエレベータ用各階制御基板のアドレス設定装置であって、
本来の各階乗場設置個所以外で、前記エレベータ制御盤近くに集められた前記各階制御基板に対し、それらの＋側電源端子及び−側電源端子にそれぞれ接続して、これら電源端子間に共通の制御電源を供給する電源回路と、
前記各階制御基板の各＋側伝送端子および−側伝送端子間に前記エレベータ制御盤から前記かごの停止階検出に伴って出力されるアドレス信号を並列供給するアドレス伝送回路と
を備え、前記各階制御基板に設けられたアドレス取り込み手段が操作されることにより、前記伝送回路により伝送されたアドレス信号が自階制御基板のアドレスとして設定させることを特徴とするエレベータ用各階制御基板のアドレス設定装置。
【請求項３】
電源回路の出力側に、各階制御基板に供給される電源の極性が、予め設定された正規の極性の場合のみ発光する極性確認手段を有することを特徴とする請求項２に記載のエレベータ用各階制御基板のアドレス設定装置。
【請求項４】
電源回路の出力側に、各階制御基板に供給される電源の極性が、予め設定された正規の極性の場合のみ導通する素子を設けたことを特徴とする請求項２または請求項３に記載のエレベータ用各階制御基板のアドレス設定装置。
【発明の詳細な説明】
【技術分野】
【０００１】
本発明は、エレベータのかごが停止する各階乗場にそれぞれ設けられ、前記かごの運行を制御するエレベータ制御盤との間で制御信号を授受する各階制御基板に対し、伝送用のアドレスをそれぞれ初期設定するエレベータ用各階制御基板のアドレス設定方法及び装置に関する。
【背景技術】
【０００２】
一般に、エレベータ装置では、かごが停止する各階乗場に、上昇方向及び下降方向の乗場釦を有する各階制御基板がそれぞれ設けられ、これらは、かごの運行を制御するエレベータ制御盤との間で制御信号を授受している。例えば、１階の乗場釦を乗客が操作した場合、エレベータ制御盤では１階の乗場からかごの呼び指令があったことを認識し、かごを１階に移動させるべく制御を行う。この際、エレベータ制御盤は、どの階からかご呼びがあったかを判別する必要があり、乗場釦の操作によりエレベータ制御盤に伝送される制御信号（呼び指令）には、階床を識別するためにアドレスが付されている。
【０００３】
すなわち、各階制御基板にはそれぞれ固有のアドレスが設定されており、乗場釦の操作によりエレベータ制御盤に伝送される制御信号には、それぞれ対応するアドレスが付される。このアドレスの設定は、エレベータが設置され、運転に入る前に現地で行われる（例えば、特許文献１参照）。
【０００４】
この例では、アドレス設定時、エレベータ制御盤により、エレベータのかごを各階に順次停止させると共に、かご位置を検出して停止階に対応するアドレスを伝送回路に出力し、対応する階の制御基板に設けられた取り込み手段（この提案の従来例では、乗場釦）を操作することで、伝送されて来たアドレスを取り込み、自階床のアドレスとして設定していた。
【特許文献１】特開平６−２４７６５３号公報
【発明の開示】
【発明が解決しようとする課題】
【０００５】
このように、各階制御基板に対するアドレス設定は、エレベータが設置され、運転に入る前に、各階制御基板が実際の乗場に設置された状態で行われる。このため、例えば、複数台設置したエレベータのリニューアル時など、旧エレベータを含むエレベータの運転停止時間が長くなってしまうという問題が生じる。
【０００６】
例えば、複数台設置されたエレベータのリニューアル工事の場合、通常は１台ずつリニューアル工事が行われる。このため、旧エレベータをリニューアル完了エレベータに振替える場面が発生する。この振替え時には、乗場に設置された制御基板も新旧入れかえることとなり、一時的に新旧両エレベータを停止させることとなる。
【０００７】
例えば、２台のエレベータが並設された、いわゆる２カーの場合、１ライズ（制御基板が１枚）が殆どである。この場合、制御基板ごとの交換となるので、新しい物に変える際は旧式の物は外してしまわなければならず、結果的に新旧２台の停止となってしまう。このときの作業は、制御基板交換の他に配線の入れ替えなどもあり、その後にアドレス設定を行うため、作業にかかる時間が長くなり、新旧２台のエレベータの停止時間も長くなる。
【０００８】
また、２台目のリニューアル工事が完了した際にも、前回リニューアルを完了したエレベータを停止させ２台目のアドレス設定を行っていた。すなわち、２台のエレベータに対し乗場の制御基板が１枚の場合、押し釦が昇り方向と下り方向で１個づつとなり、１個のＵＰ釦で２台分・１個のＤＮ釦で２台分の制御をしている。これまでのアドレス設定は、登録階にアドレス設定対象のエレベータかごを停止させ、その階のホール釦を押すことで行っている。この場合、このホール釦操作は、通常の使用状況における操作と意味が異なるため、共通のホール釦を使用するアドレス設定対象外のエレベータは運転を停止させなければならない。
【０００９】
本発明の目的は、各階乗場にそれぞれ設けられる制御基板に対するアドレス設定を、本来の各階乗場設置個所以外に集めて事前に行うことができるので、リニューアル時における新旧エレベータの、停止時間の短縮化を可能としたエレベータエレベータ用各階制御基板のアドレス設定方法及び装置を提供することにある。
【課題を解決するための手段】
【００１０】
本発明によるエレベータ用各階制御基板のアドレス設定方法は、エレベータのかごが停止する各階乗場にそれぞれ設けられ、前記かごの運行を制御するエレベータ制御盤との間で制御信号を授受する各階制御基板に対し、伝送用のアドレスをそれぞれ初期設定するエレベータ用各階制御基板のアドレス設定方法であって、本来の各階乗場設置個所以外で、前記エレベータ制御盤近くに集められた前記各階制御基板の、それぞれ共通接続された＋側電源端子と−側電源端子との間に、前記エレベータ制御盤近くに置かれたアドレス設定装置の電源回路から共通の制御電源を供給すると共に、前記各階制御基板のそれぞれ直列接続された＋側伝送端子と−側伝送端子との間に、前記エレベータ制御盤から前記かごの停止階検出に伴って出力されるアドレス信号を前記アドレス設定装置のアドレス伝送回路から並列供給し、前記各階制御基板に設けられたアドレス取り込み手段が操作されることにより、前記エレベータ制御盤から供給されたアドレス信号が自階制御基板のアドレスとして設定されることを特徴とする。
【００１１】
また、本発明によるエレベータ用各階制御基板のアドレス設定装置は、前記エレベータ制御盤近くに置かれて使用されるもので、本来の各階乗場設置個所以外で、前記エレベータ制御盤近くに集められた前記各階制御基板に対し、それらの＋側電源端子及び−側電源端子にそれぞれ接続して、これら電源端子間に共通の制御電源を供給する電源回路と、前記各階制御基板の各＋側伝送端子および−側伝送端子間に、前記エレベータ制御盤から前記かごの停止階検出に伴って出力されるアドレス信号を並列供給するアドレス伝送回路とを備え、前記各階制御基板に設けられたアドレス取り込み手段が操作されることにより、前記伝送回路により伝送されたアドレス信号が自階制御基板のアドレスとして設定させることを特徴とする。
【００１２】
また、本発明によるエレベータ用各階制御基板のアドレス設定装置は、電源回路の出力側に、各階制御基板に供給される電源の極性が、予め設定された正規の極性の場合のみ発光する極性確認手段を有するように構成してもよい。
【００１３】
さらに、本発明によるエレベータ用各階制御基板のアドレス設定装置は、電源回路の出力側に、各階制御基板に供給される電源の極性が、予め設定された正規の極性の場合のみ導通する素子を設けてもよい。
【発明の効果】
【００１４】
本発明によれば、各階乗場にそれぞれ設けられる制御基板へのアドレス設定を、本来の各階乗場設置個所への取付け以前に、本来の取付け個所以外において事前に行うことができるので、リニューアル時における新旧エレベータの、停止時間を短縮することができる。
【発明を実施するための最良の形態】
【００１５】
以下、本発明の一実施の形態について、図面を用いて詳細に説明する。
【００１６】
図１は、この実施の形態の全体構成を示している。１１はエレベータのかごで、ロープ１２により釣り合いおもり１３と結合され、モータ１４により回転駆動されるシーブ１５により昇降駆動される。１６はエレベータ制御盤で、かご１１内や乗場からの呼び等に応じてモータ１４に上昇または下降方向への駆動指令を出力する。また、回転量検出機１７からの検出信号を入力し、かご１１が現在何階に位置するかを検出する。
【００１７】
このようなエレベータ設備では、各階乗場に制御基板が設けられ、エレベータ制御盤１６との間で信号伝送路により信号の授受が行われる。例えば、乗客が各階昇降釦を操作してかご呼びを行った場合、その階に設けられた制御基板は、このかご呼び信号をエレベータ制御盤１６に伝送する。この場合、伝送信号には各階毎のアドレスを付す必要があり、各階制御基板にはそれぞれ伝送用のアドレスが設定される。
【００１８】
このアドレス設定は、従来、制御基板を各階に取りつけてから、かご１１を各階に移動させて行っていた。しかし、このような設定では前述のようにリニューアル時などにおいてエレベータ停止時間が多大になるなどの問題があった。
【００１９】
そこで、この発明では、各階に設けられる制御基板を、本来の各階乗場設置個所に取付ける前に、これら設置個所以外の特定個所に集め、アドレス設定装置を用いて、事前に各制御基板に対するアドレス設定を行っている。なお、上記特定個所とは、エレベータ制御盤１６の近く、例えば機械室内や、機械室が無い場合は最上階の乗場などとする。
【００２０】
図１において、２１はアドレス設定装置で、電源回路２２とアドレス伝送回路２３とを有する。電源回路２２は、エレベータ制御盤１６から制御電源を入力し、電源線２４により各階制御基板（以下、ＨＩＢ）２５ｉ（ｉ=１，２，…，ｎ）の制御電源端子にそれぞれ制御電源を供給する。また、アドレス伝送回路２３は、かご１１の位置に応じてエレベータ制御盤１６から出力されるアドレスを、伝送線２６により各ＨＩＢ２５ｉの伝送端子に並列供給する。すなわち、エレベータ制御盤１６は、回転量検出機１７からの検出信号などによりかご１１の位置を検出し、そのかご位置に対応したアドレスを出力しており、このアドレスを各ＨＩＢ２５ｉに並列供給する。
【００２１】
前記電源回路２２は、図２で示すように構成されている。図２において、２２ｉｐ，２２ｉｎは電源入力端子で、図示しないが、エレベータ制御盤１６からの電源線が接続されており、これら端子２２ｉｐ，２２ｉｎ間には直流２４ｖの電源電圧が入力される。この電源入力端子２２ｉｐ，２２ｉｎには、それぞれ電源電圧極性確認用の端子３２ｐ，３２ｎが接続されている。また、この電源入力端子２２ｉｐ，２２ｉｎ間には、電源投入用のリレー３４が、電源投入スイッチ３３を直列に介して接続され、さらに、この電源投入スイッチ３３に対してリレー接点３４ａを並列接続して自己保持回路を構成している。
【００２２】
リレー接点３４ａの図示下部端子と、−側電源入力端子２２ｉｎとの間には、抵抗ｒ１及びダイオード３５を直列接続した発光ダイオード３６が、予め設定された正規の極性（電源入力端子２２ｉｐが＋，２２ｉｎが−となる電源極性）に対して、逆方向に接続されている。この発光ダイオード３６は、誤接続により電源入力端子２２ｉｐ，２２ｉｎに入力される電源極性が予め設定された正規の極性と逆で、電源スイッチ３３がオン操作された場合に発光する。すなわち、逆極性状態を表示するための発光素子である。
【００２３】
また、リレー接点３４ａの図示下部端子は、予め設定された正規の極性に対して順方向のダイオード３８を介して＋側出力端子２２ｏｐに接続される。さらに、−側入力電源端子２２ｉｎは、予め設定された正規の極性に対して順方向のダイオード３９を介して−側出力端子２２ｏｎに接続される。前記両ダイオード３８，３９は、電源入力端子２２ｉｐ，２２ｉｎヘの電源入力が、予め設定された正規の極性の場合のみ導通し、出力端子２２ｏｐ，２２ｏｎ間に正規の極性で直流２４ｖの電源電圧を出力する。すなわち、両ダイオード３８，３９は、電源回路２２の出力電圧の極性が、後続する各ＨＩＢ２５ｉに対する正規の極性になる場合のみ導通する素子とそして機能する。
【００２４】
また、出力端子２２ｏｐ，２２ｏｎ間には、発光ダイオード４０が抵抗ｒ２を介して、予め設定された正規の極性に対して順方向に接続している。この発光ダイオード４０は、電源回路２２の出力側において、後続の各ＨＩＳ２５ｉに供給される電源の極性が、予め設定された正規の極性の場合のみ発光するものであり、極性確認手段として機能する。
【００２５】
各ＨＩＢ２５ｉは、本来、エレベータのかご１１が停止する各階乗場にそれぞれ設けられ、かご１１の運行を制御するエレベータ制御盤１６との間で、直接的に制御信号を授受するものであるが、図では、アドレス設定を行うため、本来の各階乗場設置個所以外に集められている。この各階乗場設置個所以外の特定個所とは、前述したように、エレベータ制御盤１６の近く、例えば機械室内や、機械室が無い場合は最上階の乗場などである。そして、この特定個所において、図１示すように、エレベータ制御盤１６に接続されたアドレス設定装置２２とそれぞれ接続している。
【００２６】
すなわち、アドレス設定装置２１の電源回路２２は、その+側出力端子２２ｏｐが各ＨＩＢ２５ｉの＋側電源端子とそれぞれ接続し、また、−側出力端子２２ｏｎは各ＨＩＢ２５ｉの−側電源端子とそれぞれ接続しており、各ＨＩＢ２５ｉの電源端子間に共通の制御電源（直流２４v）を供給する。
アドレス設定装置２１の伝送回路２３は、図３で示すように、伝送信号用の出力端子２３Ｈｉ，２３Ｌｏを有する。そして、制御盤１６から出力されるアドレスを、この出力端子２３Ｈｉ，２３Ｌｏから各ＨＩＢ２５ｉに出力する。すなわち、伝送信号用の出力端子２３Ｈｉを、伝送線２６により各ＨＩＢ２５ｉの＋側伝送端子とそれぞれ直列接続し、また、出力端子２３Ｌｏを、同じく伝送線２６により各ＨＩＢ２５ｉの−側伝送端子にそれぞれ直列接続しており、これら伝送端子間に前記エレベータ制御盤１６からのアドレス信号を並列供給する。
【００２７】
各ＨＩＢ２５ｉには、図示しないが、アドレス取り込み手段（例えば、乗場釦で兼用）が設けられており、このアドレス取り込み手段を操作することにより、伝送線２６により各ＨＩＢ２５ｉに伝送されたアドレス信号を択一的に取り込む。取り込まれたアドレスは、自ＨＩＢ２５ｉのアドレスとして設定される。
【００２８】
上記構成において、各階ＨＩＢ２５ｉに伝送用のアドレスを初期設定する場合は、各階ＨＩＢ２５ｉを各階乗場に設置する前に前述した特定個所に集め、アドレス設定装置２１の電源回路２２及び伝送回路２３に、それぞれ図２及び図３で示すように接続する。このとき、アドレス設定装置２１の電源回路２２及び伝送回路２３は、それぞれエレベータ制御盤１６の図示しない電源出力端子及びアドレス出力端子とそれぞれ接続している。
【００２９】
ここで、図２で示した電源入力端子２２ｉｐ、２２ｉｎには予め設定された正規の極性（２２ｉｐが＋，２２ｉｎが−）の電源電圧が供給されているものとする。この状態で、電源投入スイッチ３３をオン操作すると、リレー３４が励磁され、その接点３４ａをオン動作させる。このため、リレー３４は自己保持され、出力電源端子２２ｏｐ、２２ｏｎ間にはダイオード３８、３９を介して正規の極性の電源電圧が生じる。この電源電圧は、電源線２４により各ＨＩＢ２５ｉにそれぞれ供給され、各ＨＩＢ２５ｉを動作可能な状態とする。また、電源回路２２内では、発光ダイオード４０が発光し、正規の極性の電源が各ＨＩＢ２５ｉに供給可能であることを表示する。
【００３０】
各ＨＩＢ２５ｉは、制御電源として逆極性の電圧が印加されると破損してしまう。特に、各ＨＩＢ２５ｉの電源端子は、電源回路２２の出力電源端子２２ｏｐ、２２ｏｎに共通接続していることから、仮に出力電源端子２２ｏｐ、２２ｏｎに逆極性の電圧が生じると、全てのＨＩＢ２５ｉが一斉に破損するおそれがある。このため、電源投入スイッチ３３をオン操作する前に、極性確認用端子３２ｐ，３２ｎに図示しない極性検出器を接続し、電源入力端子２２ｉｐ、２２ｉｎに正規の極性の電源電圧が入力されていることを確認しておくことが好ましい。
【００３１】
このような確認を行わずに、電源入力端子２２ｉｐ、２２ｉｎに正規の極性とは逆極性の電源電圧が入力されている状態で電源投入スイッチ３３をオン操作すると、この場合もリレー３４は励磁され、その接点３４ａをオン動作させて自己保持する。しかし、逆極性の電源電圧は、ダイオード３８，３９により阻止される。このため発光ダイオード４０は発光せず、出力電源端子２２ｏｐ、２２ｏｎに逆極性の電源電圧が発生することはない。したがって、逆極性電圧印加による各ＨＩＢ２５ｉの破損を確実に防止できる。
【００３２】
このとき、電源回路２２では、発光ダイオード３６が発光するので、電源入力端子２２ｉｐ、２２ｉｎに正規の極性とは逆極性の電源電圧が入力されていることが表示され、作業員に注意を喚起する。
【００３３】
このように、各ＨＩＢ２５ｉに正規の極性の制御電圧が供給された状態において、作業員はアドレス設定を行うため、エレベータのかご１１を基準階から移動させる。このとき、図１で示したエレベータ制御盤１６は、回転量検出機１７からの検出信号により、かご１１が現在どの階に位置している検出する。例えば、かごが２階に移動して停止すると、エレベータ制御盤１６はこのエレベータ停止階を検出して、２階に対するアドレスをアドレス設定装置２１に出力する。
【００３４】
アドレス設定装置２１は、伝送回路２３の図３で示した出力端子２３Ｈｉ，２３Ｌｏから、このアドレスを、伝送線２６により各ＨＩＢ２５ｉに並列供給する。この状態で、作業員が２階用のＨＩＢ２５２の図示しないアドレス取り込み手段を操作する。この操作により、各階ＨＩＢ２５ｉに並列供給されていたアドレスは、２階用のＨＩＢ２５２に取り込まれ、このＨＩＢ２５２のアドレスとして設定される。
【００３５】
以下、同様にしてかご１１を各階に移動させ、各階に停止する毎にエレベータ制御盤１６から出力されるアドレスを、アドレス設定装置２１により各ＨＩＢ２５ｉに並列供給し、対応するＨＩＢ２５ｉのアドレス取り込み手段を操作する。この操作により、各階ＨＩＢ２５ｉにはそれぞれ該当するアドレスが取り込まれ、設定される。
【００３６】
このように各ＨＩＢ２５ｉを本来の取付け場所である各階乗場に取りつけるに先だって、それぞれ対応する伝送用アドレスを事前に設定しておくことができる。このため、本来の設置場所である各階乗場に設置すると、エレベータを直ちに運転することができ、リニューアル時に於いても全台停止期間を大幅に削減することができる。
【図面の簡単な説明】
【００３７】
【図１】本発明によるエレベータ用各階制御基板のアドレス設定装置一実施の形態を示すブロック図である。
【図２】同上一実施の形態に用いる電源回路の詳細を示す回路図である。
【図３】同上一実施の形態におけるアドレス伝送部分を示す図である。
【符号の説明】
【００３８】
１１   エレベータのかご
１６   エレベータ制御盤
２１   アドレス設定装置
２２   電源回路
２３   アドレス伝送回路
２４   電源線
２５ｉ（ｉ＝１〜ｎ）   各階制御基板（ＨＩＢ）
２６   伝送線
３８，３９   正規の極性の場合のみ導通する素子
４０   極性確認手段
【図１】
0004750521.tif 000002
【図２】
0004750521.tif 000003
【図３】
0004750521.tif 000004